(57)【要約】【課題】簡便で取り扱い易く、害虫防除効率が良いと共に、周囲環境への影響が少ない植物の害虫防除装置とする。【解決手段】本体部１ａと握り部１ｂとノズル部１ｃを備えた装置本体１とし、この本体部１ａは吸込口２と吐出口３を連通する空気流通路４を有し、この空気流通路４にモータ７で駆動されるファン５と薬剤担持体６を設け、そのファン５を駆動することで空気が薬剤担持体６に触れて害虫防除成分を含有する空気となり、その空気が吐出口３、ノズル部１ｃを通って気中に放出されるようにした植物の害虫防除装置で、作業者が握り部１ｂを手で持って作業できるから、簡便で取り扱い易く、害虫防除成分を植物に付着している害虫に直接吹きつけできるから効率良く害虫防除でき、しかも害虫防除成分は微細粒子であるから周囲環境への影響が少ない。【選択図】図２
2008109895.tif 000002
【特許請求の範囲】
【請求項１】
吸込口２と、吐出口３と、この吸込口２と吐出口３を連通する空気流通路４を有した本体部１ａ、この本体部１ａの吐出口３と連通したノズル部１ｃ、握り部１ｂを備えた装置本体１とし、
この装置本体１の本体部１ａにおける空気流通路４に、モータ７で駆動されるファン５と薬剤担持体６を設け、このファン５をモータ７で駆動することで空気が薬剤担持体６に触れて微細粒子の害虫防除成分を含有した空気がノズル部１ｃから気中に放出されるようにしたことを特徴とする植物の害虫防除装置。
【請求項２】
装置本体１は、握り部１ｂに対してノズル部１ｃが回転して当該ノズル部１ｃの向きが変更可能である請求項１記載の植物の害虫防除装置。
【請求項３】
本体部１ａは、その外周面に環状凹部３３を有し、
握り部１ｂは、握り部分３０と、この握り部分３０に設けた支持部分３１と、この支持部分３１にビス止めされる押え部分３２を有し、
この支持部分３１と押え部分３２を前記環状凹部３３に回転自在に嵌め込んで本体部１ａと握り部１ｂが回動自在とした請求項２記載の植物の害虫防除装置。
【請求項４】
本体部１ａにノズル部１ｃを着脱自在に取付けると共に、形状の異なる複数のノズル部１ｃを備えている請求項１記載の植物の害虫防除装置。
【請求項５】
本体部１ａに握り部１ｂを着脱自在に取付けると共に、長さの異なる複数の握り部１ｂを備えている請求項１記載の植物の害虫防除装置。
【発明の詳細な説明】
【技術分野】
【０００１】
本発明は、農作物、花木、果樹などの植物を、植物を食害する害虫、植物に寄生している害虫などの害虫から防除する植物の害虫防除装置に関する。
【背景技術】
【０００２】
農作物などの植物の害虫防除装置としては、特許文献１に開示されたように、噴口から害虫防除剤を植物に噴霧する動力噴霧機が知られている。
また、特許文献２には缶などの容器内に噴射剤と共に内容物（薬剤、溶剤など）を充填し、噴射剤の圧力によって噴出（噴霧）するエアゾール容器が開示されている。
【０００３】
【特許文献１】実開昭５８−７３３６７号公報
【特許文献２】特開平８−１９６９５４号公報
【発明の開示】
【発明が解決しようとする課題】
【０００４】
特許文献１に記載された動力噴霧機は、植物全体に害虫防除剤を噴霧するので、その植物の周囲に害虫防除剤が飛散するから、人体など周囲環境への影響を考慮して十分注意深く作業しなければならない。
また、動力噴霧機は大掛かりで、取り扱いがむずかしいと共に、コストが高く、一般の人が家の庭などで行う害虫防除装置としては好ましくない。
【０００５】
前述のことから特許文献２に開示されたエアゾール容器を用い、植物に付着している害虫に向けて内容物を噴出して害虫防除することが考えられる。
このエアゾール容器は、何処でも使用できる簡便なものであるから、一般の人が家の庭などで行う害虫防除装置として好ましい。
しかし、エアゾール容器は内容物を微粒子として高速で噴出するので、植物に付着している害虫の近くから噴出すると、その内容物によって害虫が吹き飛ばされてしまうから、植物に付着している害虫から離れた位置から内容物を害虫に向けて噴出して害虫が内容物で吹き飛ばされないようにしているので、噴出した内容物の一部分のみが害虫に吹きつけられ、残りの大部分は周囲に飛散するから、害虫防除の効率が悪い。
しかも、前述のように微粒子として噴出した内容物の大部分は周囲に飛散するから、人体など周囲環境へ影響を考慮して十分注意深く作業しなければならない。
【０００６】
本発明の目的は、簡便で取り扱い易く、一般の人が家の庭などで使用するのに好ましいと共に、害虫防除の効率が良く、周囲環境への影響が少ない植物の害虫防除装置を提供することである。
【課題を解決するための手段】
【０００７】
第１の発明は、吸込口２と、吐出口３と、この吸込口２と吐出口３を連通する空気流通路４を有した本体部１ａ、この本体部１ａの吐出口３と連通したノズル部１ｃ、握り部１ｂを備えた装置本体１とし、
この装置本体１の本体部１ａにおける空気流通路４に、モータ７で駆動されるファン５と薬剤担持体６を設け、このファン５をモータ７で駆動することで空気が薬剤担持体６に触れて微細粒子の害虫防除成分を含有した空気がノズル部１ｃから気中に放出されるようにしたことを特徴とする植物の害虫防除装置である。
【０００８】
第２の発明は、第１の発明において、装置本体１は、握り部１ｂに対してノズル部１ｃが回転して当該ノズル部１ｃの向きが変更可能である植物の害虫防除装置である。
【０００９】
第３の発明は、第２の発明において、本体部１ａは、その外周面に環状凹部３３を有し、
握り部１ｂは、握り部分３０と、この握り部分３０に設けた支持部分３１と、この支持部分３１にビス止めされる押え部分３２を有し、
この支持部分３１と押え部分３２を前記環状凹部３３に回転自在に嵌め込んで本体部１ａと握り部１ｂが回動自在とした植物の害虫防除装置である。
【００１０】
第４の発明は、第１の発明において、本体部１ａにノズル部１ｃを着脱自在に取付けると共に、形状の異なる複数のノズル部１ｃを備えている植物の害虫防除装置である。
【００１１】
第５の発明は、第１の発明において、本体部１ａに握り部１ｂを着脱自在に取付けると共に、長さの異なる複数の握り部１ｂを備えている植物の害虫防除装置である。
【発明の効果】
【００１２】
請求項１に係る発明によれば、使用者が握り部１ｂを手で持って害虫防除作業できるので、簡便で取り扱い易く一般の人が家の庭などで使用するのに好ましい植物の害虫防除装置である。
また、使用者が握り部１ｂを手で持ち、ノズル部１ｃを植物に付着している害虫に向けることで、害虫防除成分を含有した空気がノズル部１ｃから前述の植物に付着している害虫に直接的に吹きつけられるから、その害虫防除成分で害虫を効率良く防除できる。
また、気中に放散された微細粒子の害虫防除成分は気中（大気中）に浮遊し、時間の経過とともに希釈されるので、人体など周囲環境への影響が少ない。
【００１３】
請求項２に係る発明によれば、作業者が動いたり、手を動かさずにノズル部１ｃの向きを変えることができ、植物の任意の位置に付着している害虫に害虫防除成分を簡単で、確実に吹きつけできる。
【００１４】
請求項３に係る発明によれば、支持部分３１を環状凹部３３に嵌め込み、押え部分３２を環状凹部３３に嵌め込んで押え部分３２と支持部分３１をビス止めすることで、本体部１ａと握り部１ｂを回動自在に連結でき、その作業が簡単である。
また、本体部１ａと握り部１ｂが外れたりすることがない。
【００１５】
請求項４に係る発明によれば、害虫防除の作業内容に応じた形状のノズル部１ｃを取付けて害虫防除作業できるので、その作業がやり易い。
【００１６】
請求項５に係る発明によれば、高い位置、遠い位置や低い位置、近い位置の害虫防除作業の時には、その位置に応じた長さの握り部１ｂを用いることで、効率良く、簡単に害虫防除作業ができる。
【発明を実施するための最良の形態】
【００１７】
図１、図２、図３に示すように、装置本体１は本体部１ａと握り部１ｂとノズル部１ｃを備え、その握り部１ｂを使用者が手で持って使用できるようにしてある。
前記本体部１ａには吸込口２と吐出口３を有していると共に、その吸込口２と吐出口３を連通する空気流通路４を有している。
この空気流通路４にはファン５と薬剤担持体６が設けてあり、そのファン５をモータ７で駆動することで吸込口２から空気を吸い込み、その空気が薬剤担持体６に触れて害虫防除成分を含有した空気とし、その空気を吐出口３から吐出して前述のノズル部１ｃから気中に放散される。
【００１８】
前記ノズル部１ｃから気中に放散される空気に含有されている害虫防除成分は微細粒子となるようにしてある。なお、微細粒子とはエアゾール容器の場合の噴出される内容物の粒子よりも小さいことである。
つまり、害虫防除成分は微細粒子として気中に放散されるようにしてある。
また、ノズル部１ｃから気中に放散される空気の流速や流量は、従来のエアゾール容器の内容物の噴出速度に比べて遅く、また噴出量も少なく、総じて噴出の勢いが弱いのでその空気によって植物に付着している害虫が吹き飛ばされない。
つまり、ファン５による空気吐出速度などを調整することで前述の空気の流速などを任意に制御することが可能であるので、ノズル部１ｃから気中に放散される空気の流速などを任意のものとすることが可能である。
【００１９】
このようであるから、使用者が握り部１ｂを手で持って作業でき、簡便で取り扱い易いので、一般の人が家の庭で使用するのに好ましい。
また、使用者が握り部１ｂを手で持ち、ノズル部１ｃを植物に付着している害虫に向けることで、害虫防除成分を含有した空気がノズル部１ｃから前述の植物に付着している害虫に直接的に吹きつけられるから、その害虫防除成分で害虫を効率良く防除できる。
また、気中に放散された微細粒子の害虫防除成分は気中（大気中）に浮遊し、時間の経過とともに希釈されるので、人体など周囲環境への影響が少ない。
【００２０】
前述の実施の形態では、装置本体１は握り部１ｂに対してノズル部１ｃが回動して向きを変更可能である。
例えば、握り部１ｂと本体部１ａを回動可能に連結し、その本体部１ａにノズル部１ｃを設けることで、握り部１ｂに対してノズル部１ｃが回動するようにしてある。
このようにすれば、使用者の手で握り部１ｂを持ち、ノズル部１ｃを回動することで使用者が動いたり、手を動かさずに害虫防除成分を含有した空気の放散方向を任意の方向とすることができるから、植物の任意の位置に付着している害虫に害虫防除成分を簡単で、確実に吹きつけできる。
【００２１】
例えば、図１に示すようにノズル部１ｃを握り部１ｂに対して左向き姿勢で水平とすれば左寄り位置に付着している害虫に吹きつけできる。
ノズル部１ｃを図１で右向き姿勢で水平とすれば右寄り位置に付着している害虫に吹きつけできる。
ノズル部１ｃを図１で上向き姿勢としてノズル部１ｃを水平とすれば、遠い位置に付着している害虫に吹きつけでき、ノズル部１ｃを上向きとすれば高い位置に付着している害虫に吹きつけでき、ノズル部１ｃを下向きとすれば低い位置に付着して害虫に吹きつけできる。
【００２２】
前記ノズル部１ｃは害虫防除成分を含有した空気を１ヶ所に集中して放散する形状である。例えば、流入口８よりも流出口９が小さい形状としてある。
このようにすることで、害虫防除成分を含有した空気を植物に付着している害虫に集中して吹きつけできるから、その害虫の防除効果が優れたものとなる。
【００２３】
また、前記ノズル部１ｃは流入口８の向きと流出口９の向きがほぼ９０度異なり、流入口８から矢印ａで示すように流入した空気を流出口９から矢印ｂで示すようにほぼ９０度方向を変えて流出（放散）するようにしてある。
これに限ることはなく、流入口８の向きと流出口９の向きを同一としても良いし、流出口９の向きを図２とは反対に上向きとしても良い。
【００２４】
また、前記ノズル部１ｃは前述の形状に限ることはなく、害虫防除の作業内容に応じた種々の形状とすることができる。
例えば、図４（ａ）に示すように流出口９の開口部分９ａを長く、背面部分９ｂを円弧形状として、空気が矢印ｂで示すように円弧形状に流出すると共に、その流出する領域が長くなるようにする。
このようにすれば、小さな植物の幹や枝の全体を流出口９の長さ領域内に位置させ、その幹や枝の周囲に沿って空気を吹きつけできるから、その幹や枝の全体に付着している害虫を防除できる。
【００２５】
また、図４（ｂ）に示すように、流出口９の向きを流入口８の向きに対して９０度異なるようにしても良い。
また、図４（ｃ）に示すように、流出口９を流入口８よりも大きいテーパー形状としても良い。
【００２６】
図２に示すように、ノズル部１ｃは本体部１ａに着脱自在で、前述の図４（ａ），（ｂ），（ｃ）に示すノズル部１ｃのいずれか１つを選択して取付けできるようにしてある。
例えば、本体部１ａにノズル取付部１０を形成し、ノズル部１ｃの流入口８側部分に取付部１１を形成し、この取付部１１を図４（ａ），（ｂ），（ｃ）に示すノズル部１ｃの取付部１１と同一とする。
具体的には、本体部１ａには段付き筒状体１２を吐出口３と連通して設けてノズル取付部１０とする。
各ノズル部１ｃの流入口８側部分には段付き穴１３に形成して取付部１１とする。
そして、段付き穴１３を筒状体１２に嵌合して取付けるようにする。
【００２７】
次に、各部材の具体形状を説明する。
前記本体部１ａは筒状の周面板２０と一端板２１と他端板２２で中空部２３を有する本体２４と、その周面板２０に形成した吐出口３の開口縁に沿って一体的に設けた筒状体２５を備えている。
前記一端板２１には連通孔２６が形成されていると共に、その連通孔２６の周縁にリング状突片２７が設けられて薬剤取付用の凹部２８を形成している。この凹部２８と前記中空部２３とで前述の空気流通路４を形成している。
前記他端板２２には電池収容室１ｄが形成してある。
【００２８】
前記中空部２３内にファン５とモータ７が設けてある。
前記薬剤担持体６は粒状で、薬剤容器６ａ内に充填してある。
この薬剤容器６ａは通気性を有し、前記凹部２８内に嵌め込んで設けてあると共に、カバー２９で抜け落ちないように保持してある。
このカバー２９に吸込口２が形成してある。
前記筒状体２５の先端部分を段付き形状として前述の段付き筒状体１２としてノズル取付部１０としてある。
【００２９】
前記握り部１ｂは、握り部分３０と一対のほぼ半円形の支持部分３１，３１と一対のほぼ半円形の押え部分３２，３２を備えている。
前記握り部分３０は所定の幅と厚さと長さを有し、手で持ち易いようにしてある。
前記一対の支持部分３１，３１は握り部分３０の幅方向両端部に一体的に設けてあり、この一対の支持部分３１，３１は、前記本体２４の周面板２０における両側部に形成した一対の環状凹部３３の略下半分にそれぞれ嵌め込みしてある。
この各環状凹部３３の略上半分に一対の押え部分３２がそれぞれ嵌め込みしてあり、その押え部分３２と支持部分３１をビス３４で固着することで握り部１ｂと本体部１aが回動自在に連結される。
これによって、簡単に連結できると共に、外れることがない。
【００３０】
前記一対の支持部分３１と一対の押え部分３２は本体部１ａの幅方向両側に位置し、握り部１ｂと本体部１ａが回動した時にその支持部分３１、押え部分３２と筒状体２５が干渉しないようにしてある。
これによって、握り部１ｂと本体部１ａの回動角度範囲が広い、例えばほぼ３００度の範囲を回動できる。
【００３１】
前記ノズル部１ｃは、前記筒状体２５と同一断面形状で、その流入口８側に前述の段付き穴１３を形成して取付部１１とする。
これによって、ノズル部１ｃは筒状体２５に着脱自在である。
【００３２】
前記本体部１ａと握り部１ｂは一体でも良い。その場合には握り部１ｂとノズル部１ｃとの向きは図１に示すようにほぼ９０度異なる向きでも良いし、一直線状でも良い。
また、本体部１ａとノズル部１ｃは一体でも良い。
また、握り部１ｂをノズル部１ｃに取付けても良い。
前述の実施の形態では薬剤担持体６をファン５の吸い込み側に設けたが、吐出側に設けても良い。
また、ファン５としてはシロッコファンを用いているが、軸流ファンなどでも良い。
【００３３】
次に、本発明の第２の実施の形態を図５、図６に基づいて説明する。
この実施の形態は、装置本体１の本体部１ａ、握り部１ｂ、ノズル部１ｃを一直線状で一体としてあると共に、上面側から空気を吸い込むようにしてある。
具体的には、装置本体１を上面板４０と左右の縦面板４１で断面コ字形状の長尺で、その左右の縦面板４１の長手方向中間部間に短尺な底面板４２を固着し、その底面板４２と上面板４０とに亘ってリング状縦板４３と第１・第２縦板４４ａ，４４ｂを固着して環状室４５と矩形状室４６を有する形状とし、その装置本体１の底面板４２を設けた長手方向中間部分を本体部１ａとし、長手方向一端寄り部分を握り部１ｂとし、長手方向他端寄りをノズル部１ｃとしてある。
【００３４】
前記上面板４０に環状室４５に開口した孔４０ａを形成すると共に、その孔４０ａの周縁に沿って筒体４７を設けて薬剤担持体取付用の凹部４８を形成し、前記リング状縦板４３に吐出口３をノズル部１ｃに向けて開口して形成することで、前述の空気流通路４を形成している。
前記環状室４５にファン５とモータ７を設け、前記凹部４８に薬剤担持体６が設けてある。
前記筒体４７にカバー４９を取付けて薬剤担持体６をカバーし、そのカバー４９に前述の吸込口２が形成してある。
前記矩形状室４６を電池収容室１ｄとしてある。
【００３５】
前記上面板４０の長手方向一端寄り部分（握り部１ｂを形成する部分）の幅を、他の部分の幅よりも狭くして握り部１ｂとし、その握り部１ｂの幅が狭くなって人が手で握り易くしてある。
前記上面板４０の長手方向他端寄り部分（ノズル部１ｃを形成する部分）を下向き円弧形状とし、その下端部分４０ａと底面板４２の長手方向他端部４２ａとの間を流出口９としてある。
図６で、前記薬剤担持体６として、通気性の不織布や紙に、薬剤を含浸し枠内に入れ固定したものでも良い。
【００３６】
次に、本発明の第３の実施の形態を図７、図８に基づいて説明する。
この実施の形態は装置本体１の本体部１ａ、握り部１ｂ、ノズル部１ｃを一直線状で一体としてあると共に、下面側から空気を吸い込むようにしてある。
前記装置本体１は箱体５０と、この箱体５０に取付けた棒体５１を有している。
前記箱体５０は、上面板５２と下面板５３と一端面板５４と他端面板５５と両側面板５６とにより長尺で、幅狭く、薄い箱形状で、その内部にはリング状隔壁５７と隔壁５８が設けられて、環状室５９と第１矩形状室６０と第２矩形状室６１に区画され、その環状室５９と第１矩形状室６０との部分が本体部１ａで、第２矩形状室６１部分がノズル部１ｃである。
前記棒体５１は箱体５０の他端面板５５に取付けられて握り部１ｂとしてある。
【００３７】
前記底面板５３には環状室５９に開口した孔６２が形成され、この孔６２の周縁に沿って筒体６３が設けられて薬剤担持体６を収容する凹部６４を形成している。
この凹部６４中に薬剤担持体６が設けてあり、その薬剤担持体６はカバー体６５で保持されている。このカバー体６５に前述の吸込口２が形成してある。
前記環状室５９内にファン５とモータ７が取付けてある。
このようであるから、ファン５を駆動することで吸込口２から矢印のように空気を吸い込み、薬剤担持体６に触れることで害虫防除成分を含有した空気となり、その空気は吐出口３、流入口８を通って流出口９から気中に放出される。
また、棒状の握り部１ｂを握ることで装置全体を取り扱いできる。
【００３８】
次に、本発明の第４の実施の形態を図９、図１０に基づいて説明する。
この実施の形態では装置本体１の本体部１ａと握り部１ｂとノズル部１ｃが一直線状で、上面側から空気を吸い込むと共に、ファンの吐出側に薬剤担持体６が設けてある。
前記装置本体１は箱体５０と筒状体７０を備え、その箱体５０は前述の箱体５０の一端面板５４を無くして開口した形状で、その上面板５２に環状室５９に開口した穴が形成されて前述の吸込口２としてある。
前記第２矩形状室６１に薬剤担持体６が設けてある。
【００３９】
このようであるから、ファン５を回転することで吸込口２から空気を吸い込み、吐出口３から吐出する。この吐出口３から吐出した空気が薬剤担持体６に触れて害虫防除成分を含有した空気となり、その空気はノズル部１ｂの流出口９から気中に放出される。
【００４０】
前記筒状体７０は箱体５０に着脱自在に嵌合して取付けられて握り部１ｂとしてある。
例えば、前記筒状体７０は上面板７１と下面板７２と両側面板７３で矩形断面で、かつ前記箱体５０が嵌合されるようにしてある。
このようであるから、箱体５０を嵌合したり、抜き出すことで握り部１ｂを本体部１ａに着脱自在である。
【００４１】
また、長さの異なる複数の筒状体７０（握り部１ｂ）を準備しておけば、その長さの異なる筒状体７０のいずれか１つを箱体５０に取付けて握り部１ｂとすることができるので、握り部１ｂの長さを長くしたり、短くできるから、高い位置、低い位置、遠い位置、近い位置など、任意の位置の害虫防除作業が簡単にできる。
図１０で、前記薬剤担持体６として、ハニカム構造体に薬剤を含浸し周囲を枠で固定したものでも良い。
【００４２】
次に本発明の第５の実施の形態を図１１、図１２に基づいて説明する。
この実施の形態は、ファン５を軸流ファンとし、吸い込み側に薬剤担持体６を設けてある。
前記装置本体１は、筒体８０と杆体８１を備え、その筒体８０の軸心方向と杆体８１の長手方向はほぼ９０度ずれている。
前記筒体８０内にはモータ取付部材８２でモータ７が取付けてあり、そのモータ７の軸心は筒体８０の軸方向に向いている。
このモータ７でファン５、軸流ファン（プロペラファン）が回転され、筒体８０の一端開口部８０ａから空気を吸い込んで他端開口部８０ｂから放出する。
前記モータ取付部材８２は穴明きプレートや格子形状体で、空気流通部８２ａを有している。
前記筒体８０の一端開口部８０ａ寄りに薬剤担持体６が設けられ、カバー８３で抜け落ちないように保持され、そのカバー８３に吸込口２が形成してある。
この吸込口２は網体８４で覆われている。
【００４３】
これによって、筒体８０の一端開口部８０ａ側部分が本体部１ａで、他端開口部８０ｂ側部分がノズル部１ｃである。
そして、杆体８１が握り部１ｂである。
【００４４】
なお、筒体８０のファン５よりも他端開口部８０ｂ寄りに薬剤担持体６を設けても良い。
また、筒体８０と杆体８１を一直線に連続させ、その杆体８１の内部を通して一端開口部８０ａから空気を吸い込むようにしても良い。
【００４５】
本発明において、害虫防除とは害虫のみではなく、害虫の幼虫や卵なども含むものである。
【００４６】
本発明において使用される害虫防除成分としては、常温送風などの条件で揮散する殺虫剤、殺ダニ剤、忌避剤、害虫成長制御剤、又は防虫性の薬剤（精油、香料、溶剤等）などが挙げられる。
例えば殺虫を目的として使用する場合、従来より用いられている各種揮散性殺虫剤、特に安全性が高いことからピレスロイド系殺虫剤が好適に用いられる。
【図面の簡単な説明】
【００４７】
【図１】本発明の第１の実施の形態を示す正面図である。
【図２】本発明の第１の実施の形態を示す縦断面図である。
【図３】図２のＡ−Ａ断面図である。
【図４】異なる形状のノズル部の断面図である。
【図５】本発明の第２の実施の形態を示す平面図である。
【図６】図５のＢ−Ｂ断面図である。
【図７】本発明の第３の実施の形態を示す平面図である。
【図８】図７のＣ−Ｃ断面図である。
【図９】本発明の第４の実施の形態を示す平面図である。
【図１０】図９のＤ−Ｄ断面図である。
【図１１】本発明の第５の実施の形態を示す平面図である。
【図１２】図１１のＥ−Ｅ断面図である。
【符号の説明】
【００４８】
１…装置本体、１ａ…本体部、１ｂ…握り部、１ｃ…ノズル部、２…吸込口、３…吐出口、４…空気流通路、５…ファン、６…薬剤担持体、７…モータ、８…流入口、９…流出口、３０…握り部分、３１…支持部分、３２…押え部分、３３…環状凹部、３４…ビス。
【図１】
2008109895.tif 000003
【図２】
2008109895.tif 000004
【図３】
2008109895.tif 000005
【図４】
2008109895.tif 000006
【図５】
2008109895.tif 000007
【図６】
2008109895.tif 000008
【図７】
2008109895.tif 000009
【図８】
2008109895.tif 000010
【図９】
2008109895.tif 000011
【図１０】
2008109895.tif 000012
【図１１】
2008109895.tif 000013
【図１２】
2008109895.tif 000014